(57)【要約】【課題】液中の観察対象物を効率よく観察するための顕微鏡観察試料用具を提供する。【解決手段】スライドグラス１０は、液溜領域１１、顕微鏡の種類を表示している顕微鏡種別表示領域１２、顕微鏡の倍率を表示している倍率表示領域１３を備えている。液溜領域１１は、観察する観察対象物が入った液滴を留めるための領域であり、親水性領域と、これを囲むように形成された撥水性領域とから構成される。親水性領域は、この上に形成される液滴のサイズが顕微鏡の視野範囲と一致するような大きさで形成される。【選択図】図１
2015176136.tif 000002
【特許請求の範囲】
【請求項１】
撥水性領域に周囲が囲まれた親水性領域を設けた顕微鏡観察試料用具であって、
前記親水性領域を、この親水性領域に留まる液滴が、観察時に用いる顕微鏡の光学規格に対応するサイズとなる大きさで形成したことを特徴とする顕微鏡観察試料用具。
【請求項２】
前記親水性領域は、前記液滴が前記光学規格において定められた視野範囲と一致するサイズとなる大きさで形成されていることを特徴とする請求項１に記載の顕微鏡観察試料用具。
【請求項３】
前記顕微鏡の種別がデジタル顕微鏡の場合には、前記親水性領域を、前記デジタル顕微鏡のイメージセンサの形状に応じた形状で構成したことを特徴とする請求項１又は２に記載の顕微鏡観察試料用具。
【請求項４】
前記親水性領域を、この親水性領域に留まる液滴の最大高さが、前記光学規格において定められたワーキングディスタンスよりも低くなる大きさで形成したことを特徴とする請求項１〜３の何れか１項に記載の顕微鏡観察試料用具。
【請求項５】
前記観察時に用いる顕微鏡の倍率に関する情報を表示する倍率表示領域を更に設けたことを特徴とする請求項１〜４の何れか一項に記載の顕微鏡観察試料用具。
【請求項６】
前記観察時に用いる顕微鏡の種類に関する情報を表示した顕微鏡種別表示領域を更に設けたことを特徴とする請求項１〜５の何れか一項に記載の顕微鏡観察試料用具。
【請求項７】
前記親水性領域は、複数、設けられており、
前記親水性領域に留まる液滴が隣の親水性領域の液滴と結合しない距離で、各親水性領域を配置したことを特徴とする請求項１〜６の何れか一項に記載の顕微鏡観察試料用具。
【発明の詳細な説明】
【技術分野】
【０００１】
本発明は、液中の微生物等の観察対象物を観察するために、顕微鏡に用いられる顕微鏡観察試料用具に関する。
【背景技術】
【０００２】
顕微鏡を用いて微生物を観察することがある。この場合、スライドグラス上に微生物を載置してプレパラートを作成する。そして、プレパラートを顕微鏡のステージに載置して観察を行なう。ここで、プレパラートを作製するための技術も検討されている（例えば、特許文献１参照）。特許文献１では、カバーガラスの少なくとも片面の辺縁部と下部材との間を、シーリング材で接着して、プレパラートを作製する。
【先行技術文献】
【特許文献】
【０００３】
【特許文献１】特開２００４−２２９５４８号公報
【発明の概要】
【発明が解決しようとする課題】
【０００４】
従来のように、スライドグラス上の微生物をカバーガラスで覆った場合、微生物の観察が困難な場合がある。例えばミジンコ等の水生生物を観察する場合には、液中（例えば、水中）から取り出すと、実際の生態を観察することが難しかった。また、微生物を含んだ水を試料としてスライドグラス上に垂らすと、スライドグラス上で広がり、顕微鏡で観察することが難しかった。特に、顕微鏡の操作を誤ると、対物レンズが試料に触れる等、微生物の観察を効率よく行なうことは難しかった。
【０００５】
本発明は、上記課題を解決するためになされたものであり、その目的は、液中の観察対象物を効率よく観察するための顕微鏡観察試料用具を提供することにある。
【課題を解決するための手段】
【０００６】
上記課題を解決する顕微鏡観察試料用具は、撥水性領域に周囲が囲まれた親水性領域を設けた顕微鏡観察試料用具であって、前記親水性領域を、この親水性領域に留まる液滴が、観察時に用いる顕微鏡の光学規格に対応するサイズとなる大きさで形成する。この構成によれば、親水性領域の大きさによって、親水性領域に留まる液滴を、観察時に用いる顕微鏡の光学規格に対応するサイズとなるようにすることができる。このため、親水性領域上に形成された液滴内で、観察対象物を効率よく観察することができる。
【０００７】
上記顕微鏡観察試料用具において、前記親水性領域は、前記液滴が前記光学規格において定められた視野範囲と一致するサイズとなる大きさで形成されていることが好ましい。この構成によれば、顕微鏡の視野範囲と液滴のサイズとが一致するので、顕微鏡の視野範囲を活用して、観察対象物を効率的に観察することができる。
【０００８】
上記顕微鏡観察試料用具において、前記顕微鏡の種別がデジタル顕微鏡の場合には、前記親水性領域を、前記デジタル顕微鏡のイメージセンサの形状に応じた形状で構成することが好ましい。この構成によれば、デジタル顕微鏡の視野の形状に対応する形状で親水性領域を構成するので、顕微鏡の視野範囲を活用して、観察対象物を効率的に観察することができる。
【０００９】
上記顕微鏡観察試料用具において、前記親水性領域を、この親水性領域に留まる液滴の最大高さが、前記光学規格において定められたワーキングディスタンスよりも低くなる大きさで形成することが好ましい。この構成によれば、顕微鏡の先端と、親水性領域上の液滴との接触を抑制することができる。
【００１０】
上記顕微鏡観察試料用具において、前記観察時に用いる顕微鏡の倍率に関する情報を表示する倍率表示領域を更に設けることが好ましい。この構成によれば、顕微鏡観察試料用具を用いる顕微鏡のレンズに対応する倍率を容易に特定することができる。
【００１１】
上記顕微鏡観察試料用具について、前記観察時に用いる顕微鏡の種類に関する情報を表示した顕微鏡種別表示領域を更に設けることが好ましい。この構成によれば、顕微鏡観察試料用具を用いる顕微鏡の種類の間違いを抑制することができる。
【００１２】
上記顕微鏡観察試料用具において、前記親水性領域は、複数、設けられており、前記親水性領域に留まる液滴が隣の親水性領域の液滴と結合しない距離で、各親水性領域を配置することが好ましい。この構成によれば、隣の親水性領域の上に形成された液滴同士の結合を抑制し、観察対象物を効率よく観察することができる。
【発明の効果】
【００１３】
本発明によれば、顕微鏡において液中の観察対象物を効率よく観察することができる。
【図面の簡単な説明】
【００１４】
【図１】本実施形態における顕微鏡観察試料用具の正面図。
【図２】本実施形態における顕微鏡観察試料用具の大きさと顕微鏡の大きさとの関係を説明する説明図。
【図３】本実施形態における顕微鏡観察試料用具の正面図であって、（ａ）は倍率２０倍の実体顕微鏡、（ｂ）は倍率４０倍の実体顕微鏡、（ｃ）は倍率４０倍の生物顕微鏡、（ｄ）は倍率１００倍の生物顕微鏡、（ｅ），（ｆ）は対物レンズの倍率４倍のデジタル顕微鏡に用いる顕微鏡観察試料用具を示す。
【図４】本実施形態における顕微鏡観察試料用具ではない顕微鏡観察試料用具を説明する説明図であって、（ａ）は液滴のサイズが顕微鏡の視野範囲より小さい場合、（ｂ）は液滴のサイズが顕微鏡の視野範囲より大きい場合、（ｃ）は親水性領域の間隔が近接している場合を示す。
【発明を実施するための形態】
【００１５】
以下、本発明を具体化した顕微鏡観察試料用具の一実施形態を図１〜図４を用いて説明する。本実施形態では、顕微鏡観察試料用具としてスライドグラスその物に適用した場合について説明する。
【００１６】
図１に示すように、本実施形態のスライドグラス１０は、従来のスライドグラスと同じ大きさの板形状をしている。このスライドグラス１０には、液溜領域１１、顕微鏡種別表示領域１２及び倍率表示領域１３が設けられている。液溜領域１１は、観察対象物（例えば、ミジンコ等の微生物）を入れた液滴（本実施形態で水滴）を溜めるための領域である。顕微鏡種別表示領域１２、倍率表示領域１３は、それぞれ、このスライドグラス１０を用いて観察を行なう顕微鏡の種類、倍率を表示している領域である。この顕微鏡の種類や倍率により、対物レンズからスライドグラス１０までの距離（ワーキングディスタンス）が決まる。
【００１７】
次に、図２を用いて、スライドグラス１０の液溜領域１１について詳述する。
液溜領域１１は、複数の親水性領域２１と、この親水性領域２１の周囲を囲むように形成された撥水性領域２２とから構成されている。撥水性領域２２は、ガラス表面を撥水加工することにより構成する。本実施形態では、水滴Ｗ１との接触角θが９０度以上となる撥水材料を塗布することにより、撥水加工を行なう。
【００１８】
親水性領域２１は、スライドグラス１０を用いる顕微鏡５０の視野範囲Ｆ１と同じ形状で構成されている。例えば、通常の顕微鏡に用いるスライドグラス１０の親水性領域２１は円形形状で構成されている。一方、デジタル顕微鏡に用いるスライドグラス１０の親水性領域２１は、デジタル顕微鏡において広く用いられているイメージセンサの形状に合わせた形状（例えば、四角形状）で構成されている。
【００１９】
また、親水性領域２１のサイズｄ１は、以下の条件により決定する。
・観察対象物の観察時に親水性領域２１上に留まる水滴Ｗ１のサイズ（最も長い径）Ｄ１が、顕微鏡５０の視野範囲Ｆ１と一致するようなサイズ。
・その水滴Ｗ１の最大高さｈ１が顕微鏡５０のワーキングディスタンスＷＤよりも低くなるサイズ。
【００２０】
この場合、水滴Ｗ１のサイズＤ１及び最大高さｈ１は、撥水性領域２２の接触角θと、親水性領域２１のサイズｄ１とから決定される。また、視野範囲Ｆ１は、観察対象物の観察時に用いる顕微鏡５０の光学規格において定められている。
【００２１】
更に、隣接する親水性領域２１との間隔（離間距離Ｓ１）は、以下の条件により決定する。
・親水性領域２１上に留まる水滴Ｗ１が隣接する親水性領域２１の水滴Ｗ１と結合しない距離とする。この距離は、撥水性領域２２の接触角θと、親水性領域２１のサイズｄ１とから決定される。
【００２２】
次に、図３を用いて、スライドグラス１０の実施例について説明する。
図３（ａ）は、倍率２０倍の実体顕微鏡に用いるスライドグラス１０ａである。このスライドグラス１０ａの液溜領域１１には、４個の親水性領域２１が横１列で配置されている。各親水性領域２１は、直径１０ｍｍの円形状で形成される。
【００２３】
図３（ｂ）は、倍率４０倍の実体顕微鏡に用いるスライドグラス１０ｂである。このスライドグラス１０ｂの液溜領域１１には、６個の親水性領域２１が横２列で配置されている。各親水性領域２１は、直径５ｍｍの円形状で形成される。
【００２４】
図３（ｃ）は、倍率４０倍の生物顕微鏡に用いるスライドグラス１０ｃである。このスライドグラス１０ｃの液溜領域１１には、８個の親水性領域２１が横３列で配置されている。各親水性領域２１は、直径４ｍｍの円形状で形成される。なお、スライドグラス１０ｂと、スライドグラス１０ｃとは、顕微鏡５０の倍率は同じであるが、顕微鏡５０の種類に応じて、親水性領域２１の大きさが異なる。
【００２５】
図３（ｄ）は、倍率１００倍の生物顕微鏡に用いるスライドグラス１０ｄである。このスライドグラス１０ｄの液溜領域１１には、１１個の親水性領域２１が横４列で配置されている。各親水性領域２１は、直径１．５ｍｍの円形状で形成される。
【００２６】
図３（ｅ）及び図３（ｆ）は、対物レンズの倍率が４倍のデジタル顕微鏡に用いるスライドグラス１０ｅ，１０ｆである。これらスライドグラス１０ｅ，１０ｆの液溜領域１１には、８個又は９個の親水性領域２１が横４列で配置されている。各親水性領域２１は、顕微鏡種別表示領域１２に表示されているデジタル顕微鏡の視野範囲Ｆ１に応じて長方形状となっている。更に、各親水性領域２１は、顕微鏡種別表示領域１２に表示されている顕微鏡の型番（種類）に応じた視野範囲Ｆ１の大きさで形成されている。なお、スライドグラス１０ｅ，１０ｆの倍率表示領域１３には、スライドグラス１０ｅ，１０ｆを用いるデジタル顕微鏡の総合倍率（４０倍）が表示されている。
【００２７】
次に、本実施形態のスライドグラス１０の作用について説明する。ここでは、観察対象物として微生物（例えばミジンコ等）を観察する場合について説明する。
まず、利用する顕微鏡の種類と倍率に応じて、観察に用いるスライドグラス１０を決定する。スライドグラス１０の上に、微生物が含まれる水（試料）を垂らす。この場合、水は、スライドグラス１０の撥水性領域２２によって、親水性領域２１上に集結して、親水性領域２１上においてドーム形状の水滴Ｗ１を形成する。これにより、水滴Ｗ１の微生物を、顕微鏡５０で観察することができる。
【００２８】
本実施形態のスライドグラス１０によれば、以下のような効果を得ることができる。
（１）本実施形態のスライドグラス１０は、親水性領域２１と、これを囲むように形成された撥水性領域２２とから構成される液溜領域１１を備えている。これにより、親水性領域２１上に形成された水滴Ｗ１内で、観察対象物を観察することができる。
【００２９】
図４（ａ）に示すように、小さい水滴Ｗ２（サイズｄ２の親水性領域２１上の、視野範囲Ｆ１より小さいサイズＤ２の水滴Ｗ２）の場合には、顕微鏡５０の視野範囲Ｆ１を有効活用できない。
また、図４（ｂ）に示すように、大きい水滴Ｗ３（サイズｄ３の親水性領域２１上の、視野範囲Ｆ１より大きいサイズＤ３の水滴Ｗ３）の場合には、視野範囲Ｆ１外に観察対象物があることもある。
【００３０】
本実施形態のスライドグラス１０の親水性領域２１は、この上に形成される液滴のサイズが顕微鏡５０の視野範囲Ｆ１と一致するような大きさで形成されるので、視野範囲Ｆ１に観察対象物を効率的に観察することができる。
【００３１】
（２）本実施形態のスライドグラス１０の親水性領域２１は、スライドグラス１０を用いる顕微鏡５０の視野形状と同じ形状で構成されている。これにより、顕微鏡５０の視野範囲Ｆ１を活用して、観察対象物を効率的に観察することができる。
【００３２】
（３）本実施形態のスライドグラス１０は、顕微鏡５０のワーキングディスタンスＷＤよりも、親水性領域２１に留まる液滴の最大高さｈ１が低くなるような大きさで、親水性領域２１が形成されている。これにより、顕微鏡５０の先端部（例えば対物レンズ等）と、親水性領域２１上の水滴Ｗ１との接触を抑制することができる。
【００３３】
（４）本実施形態のスライドグラス１０の親水性領域２１は、隣の親水性領域２１上に形成された水滴Ｗ１同士が結合しない離間距離Ｓ１で形成されている。図４（ｃ）に示すように、（離間距離Ｓ１より短い離間距離Ｓ２で形成された親水性領域２１の）水滴Ｗ５，Ｗ６が結合すると、水滴中の観察対象物の特定が困難となる。従って、親水性領域２１の上に形成された水滴Ｗ１同士の結合を抑制し、効率的に観察することができる。
【００３４】
（５）本実施形態のスライドグラス１０には、これを用いる顕微鏡５０の種類を表示している顕微鏡種別表示領域１２が設けられている。これにより、スライドグラス１０を用いる顕微鏡５０の種類の間違いを抑制することができる。
【００３５】
（６）本実施形態のスライドグラス１０には、これを用いる顕微鏡５０の倍率を表示している倍率表示領域１３が設けられている。これにより、スライドグラス１０を用いる顕微鏡５０のレンズに対応する倍率を容易に特定することができる。
【００３６】
また、上記実施形態は以下のように変更してもよい。
・上記実施形態において、スライドグラス１０において、親水性領域２１を縦横に整列するように配置した。親水性領域２１の配置は、これに限られず、例えば、ひし形形状や六角形状のように、所定の規則性により配置してもよい。
【００３７】
・上記実施形態において、スライドグラス１０の倍率表示領域１３には、顕微鏡の倍率を表示した。この倍率表示領域１３には、例えば、対物レンズの倍率等、顕微鏡に関する他の倍率に関する情報も表示してもよい。
【００３８】
・上記実施形態において、顕微鏡観察試料用具として、スライドグラス１０に適用した具体例について説明した。顕微鏡観察試料用具は、スライドグラス１０に限定されるものではない。通常のスライドグラスの表面に貼付するシールに適用することも可能である。この場合には、裏面に粘着剤を塗布した撥水性シートに、親水性領域となる孔を設けておく。更に、シールには、観察時に用いる顕微鏡の光学規格を表示しておく。このシールを、通常のスライドグラスに貼付することにより、上記実施形態のスライドグラス１０を実現することができる。
【符号の説明】
【００３９】
Ｄ１，ｄ１…サイズ、Ｆ１…視野範囲、ｈ１…最大高さ、Ｓ１…離間距離、Ｗ１…水滴、ＷＤ…ワーキングディスタンス、１０，１０ａ〜１０ｆ…スライドグラス、１１…液溜領域、１２…顕微鏡種別表示領域、１３…倍率表示領域、２１…親水性領域、２２…撥水性領域、５０…顕微鏡。
【図１】
2015176136.tif 000003
【図２】
2015176136.tif 000004
【図３】
2015176136.tif 000005
【図４】
2015176136.tif 000006